(57)【要約】【課題】端末装置で取得した自端末装置の位置情報により、提供するコンテンツを変えて、１つのコードでも地域により異なるコンテンツを提供する。【解決手段】コードを読み取る読取手段と、前記読取手段が読み取ったコードからコンテンツ情報を抽出する情報抽出手段と、白装置の位置情報を取得する位置情報取得手段と、前記コンテンツ情報に基づいてコンテンツ要求を前記位置情報を付加して送信してコンテンツを取得するコンテンツ取得手段とを備えた端末装置２と、端末装置２と連絡するコンテンツサーバ１とを備え、端末装置２が読み込んだコードに含まれるコンテンツ情報に基づいてコンテンツを要求すると、コンテンツサーバ１は、受信したコンテンツ要求に位置情報が付加されていたとき、前記要求されたコンテンツが位置情報対応に異なるコンテンツを用意していれば、受信した位置情報に対応したコンテンツを端末装置２に返送する。【選択図】  図１
2005326999.tif 000002
【特許請求の範囲】
【請求項１】
コードを読み取る読取手段と、前記読取手段が読み取ったコードからコンテンツ情報を抽出する情報抽出手段と、白装置の位置情報を取得する位置情報取得手段と、前記コンテンツ情報に基づいてコンテンツ要求を前記位置情報を付加して送信してコンテンツを取得するコンテンツ取得手段とを備えた端末装置と、
受信したコンテンツ要求に位置情報が付加されていたとき、前記要求されたコンテンツが位置情報対応に異なるコンテンツを用意していれば、受信した位置情報に対応したコンテンツを前記端末装置に返送するコンテンツサーバとを備えたこと
を特徴とするコンテンツ配信システム。
【請求項２】
前記端末装置は、白装置の時刻情報を取得する時刻情報取得手段を備え、
前記コンテンツ取得手段は、コンテンツ要求に前記時刻情報を付加して送信し、
前記コンテンツサーバは、前記要求されたコンテンツが時刻対応に異なるコンテンツを用意していれば、コンテンツ要求に付加された時刻情報に対応したコンテンツを前記端末装置に返送すること
を特徴とする請求項１記載のコンテンツ配信システム。
【請求項３】
コードを読み取る読取手段と、前記読取手段が読み取ったコードからコンテンツ情報を抽出する情報抽出手段と、前記コンテンツ情報に基づいてコンテンツ要求を送信してコンテンツを取得するコンテンツ取得手段とを備えた端末装置と、
前記端末装置を特定する情報から前記端末装置の位置情報を提供する位置情報サーバと、
受信したコンテンツ要求により要求されたコンテンツが位置情報対応に異なるコンテンツを用意していれば、前記位置情報サーバにより位置情報を取得し、この取得した位置情報に対応したコンテンツを前記端末装置に返送するコンテンツサーバとを備えたこと
を特徴とするコンテンツ配信システム。
【請求項４】
前記端末装置を特定する情報から前記端末装置の時刻情報を提供する時刻情報サーバを備え、
前記コンテンツサーバは、要求されたコンテンツが時刻対応に異なるコンテンツを用意していれば、前記時刻情報サーバにより時刻情報を取得し、この取得した時刻情報に対応したコンテンツを前記端末装置に返送すること
を特徴とする請求項３記載のコンテンツ配信システム。
【請求項５】
コードを読み取る読取手段と、前記読取手段が読み取ったコードからコンテンツ情報を抽出する情報抽出手段と、白装置の位置情報を取得する位置情報取得手段と、前記コンテンツ情報に基づいてコンテンツ要求を前記位置情報を付加して送信してコンテンツを取得するコンテンツ取得手段とを備えた端末装置と、
前記端末装置と連絡するコンテンツサーバとを備え、
前記端末装置が、読み込んだコードに含まれるコンテンツ情報に基づいてコンテンツを要求すると、
前記コンテンツサーバは、受信したコンテンツ要求に位置情報が付加されていたとき、前記要求されたコンテンツが位置情報対応に異なるコンテンツを用意していれば、受信した位置情報に対応したコンテンツを前記端末装置に返送すること
を特徴とするコンテンツ配信方法。
【請求項６】
前記端末装置は白装置の時刻情報を取得する時刻情報取得手段を備え
前記コンテンツ取得手段が、コンテンツ要求に前記時刻情報を付加して送信し、前記コンテンツサーバは、要求されたコンテンツが時刻対応に異なるコンテンツを用意していれば、コンテンツ要求に付加された時刻情報に対応したコンテンツを前記端末装置に返送すること
を特徴とする請求項５記載のコンテンツ配信方法。
【請求項７】
コードを読み取る読取手段と、前記読取手段が読み取ったコードからコンテンツ情報を抽出する情報抽出手段と、前記コンテンツ情報に基づいてコンテンツ要求を送信してコンテンツを取得するコンテンツ取得手段とを備えた端末装置と、前記端末装置を特定する情報から前記端末装置の位置情報を提供する位置情報サーバと、前記端末装置及び前記位置情報サーバと連絡するコンテンツサーバとを備え、
前記端末装置が、読み込んだコードに含まれるコンテンツ情報に基づいてコンテンツ要求すると、
前記コンテンツサーバは、受信したコンテンツ要求により要求されたコンテンツが位置情報対応に異なるコンテンツを用意していれば、前記位置情報サーバにより位置情報を取得し、この取得した位置情報に対応したコンテンツを前記端末装置に返送すること
を特徴とするコンテンツ配信方法。
【請求項８】
前記端末装置を特定する情報から前記端末装置の時刻情報を提供する時刻情報サーバを備え、
前記コンテンツサーバは、要求されたコンテンツが時刻対応に異なるコンテンツを用意していれば、前記時刻情報サーバにより時刻情報を取得し、この取得した時刻情報に対応したコンテンツを前記端末装置に返送すること
を特徴とする請求項７記載のコンテンツ配信方法。
【発明の詳細な説明】
【技術分野】
【０００１】
本発明は、コンテンツ配信システムに関し、特に、読み取ったコードに含まれる情報によりコンテンツを提供するコンテンツ配信方法とそのシステムに関する。
【背景技術】
【０００２】
近年、ＧＰＳ（Ｇｌｏｂａｌ Ｐｏｓｉｔｉｏｎｉｎｇ Ｓｙｓｔｅｍ）などにより携帯電話端末においても、現在の自端末の位置を知ることができるようになっている（例えば、特許文献１参照）。
【０００３】
また、ＵＲＬ（Ｕｎｉｆｏｍ Ｒｅｓｏｕｒｃｅ Ｌｏｃａｔｉｏｎ）などを含んだコードをスキャナなどで読み取らせ、その読み取ったコードからＵＲＬ（Ｕｎｉｆｏｒｍ Ｒｅｓｏｕｒｃｅ Ｌｏｃａｔｉｏｎ）などを抽出させて、そのＵＲＬにアクセスさせるコンテンツ配信システムもある。
【特許文献１】特開２００２−６３３７８号公報
【発明の開示】
【発明が解決しようとする課題】
【０００４】
しかしながら、このような従来のコンテンツ配信システムにあっては、同じコンテンツ提供者でも地域により別のコンテンツを提供したいときは、地域毎に別のコードを用意しなければならなかった。
【０００５】
本発明は、かかる事情に鑑みなされたもので、その目的は、端末装置で取得した自端末装置の位置情報により、提供するコンテンツを変えて、１つのコードでも地域により異なるコンテンツを提供することができるコンテンツ配信方法とそのシステムを提供することにある。
【課題を解決するための手段】
【０００６】
前記課題を解決するための本発明のコンテンツ配信システムは、コードを読み取る読取手段と、前記読取手段が読み取ったコードからコンテンツ情報を抽出する情報抽出手段と、白装置の位置情報を取得する位置情報取得手段と、前記コンテンツ情報に基づいてコンテンツ要求を前記位置情報を付加して送信してコンテンツを取得するコンテンツ取得手段とを備えた端末装置と、受信したコンテンツ要求に位置情報が付加されていたとき、前記要求されたコンテンツが位置情報対応に異なるコンテンツを用意していれば、受信した位置情報に対応したコンテンツを前記端末装置に返送するコンテンツサーバとを備えたことを特徴とする。
【０００７】
また、本発明のコンテンツ配信方法としては、コードを読み取る読取手段と、前記読取手段が読み取ったコードからコンテンツ情報を抽出する情報抽出手段と、白装置の位置情報を取得する位置情報取得手段と、前記コンテンツ情報に基づいてコンテンツ要求を前記位置情報を付加して送信してコンテンツを取得するコンテンツ取得手段とを備えた端末装置と、前記端末装置と連絡するコンテンツサーバとを備え、前記端末装置が、読み込んだコードに含まれるコンテンツ情報に基づいてコンテンツを要求すると、前記コンテンツサーバは、受信したコンテンツ要求に位置情報が付加されていたとき、前記要求されたコンテンツが位置情報対応に異なるコンテンツを用意していれば、受信した位置情報に対応したコンテンツを前記端末装置に返送することを特徴とする。
【０００８】
このコンテンツ配信方法とそのシステムによれば、端末装置が、読み込んだコードに含まれるコンテンツ情報に基づいてコンテンツ要求するときに、前記端末装置の位置情報が付加され、コンテンツサーバが、コンテンツ要求に位置情報が付加されていて、要求されたコンテンツが位置情報対応に異なるコンテンツを用意していると、前記位置情報に対応したコンテンツが送信される。したがって、同じコードを読み込んでも、位置情報が異なると異なったコンテンツが提供される。
【０００９】
また、前記コンテンツ配信方法とそのシステムにおいては、前記端末装置が白装置の時刻情報を取得する時刻情報取得手段を備えるようにし、前記コンテンツ取得手段が、コンテンツ要求に前記時刻情報を付加して送信し、前記コンテンツサーバは、要求されたコンテンツが時刻対応に異なるコンテンツを用意していれば、コンテンツ要求に付加された時刻情報に対応したコンテンツを前記端末装置に返送するようにするとよい。
【００１０】
このコンテンツ配信方法とそのシステムによれば、端末装置が、読み込んだコードに含まれるコンテンツ情報に基づいてコンテンツ要求するときに、前記端末装置の時刻情報が付加され、コンテンツサーバが、要求されたコンテンツが時刻対応に異なるコンテンツを用意していると、コンテンツ要求に付加された時刻情報に対応したコンテンツが送信される。したがって、同じコードを読み込んでも、時刻が異なると異なったコンテンツが提供される。
【００１１】
さらに、前記課題を解決する本発明のコンテンツ配信システムとしては、コードを読み取る読取手段と、前記読取手段が読み取ったコードからコンテンツ情報を抽出する情報抽出手段と、前記コンテンツ情報に基づいてコンテンツ要求を送信してコンテンツを取得するコンテンツ取得手段とを備えた端末装置と、前記端末装置を特定する情報から前記端末装置の位置情報を提供する位置情報サーバと、受信したコンテンツ要求により要求されたコンテンツが位置情報対応に異なるコンテンツを用意していれば、前記位置情報サーバにより位置情報を取得し、この取得した位置情報に対応したコンテンツを前記端末装置に返送するコンテンツサーバとを備えたことを特徴とする。
【００１２】
また、前記課題を解決する本発明のコンテンツ配信方法としては、コードを読み取る読取手段と、前記読取手段が読み取ったコードからコンテンツ情報を抽出する情報抽出手段と、前記コンテンツ情報に基づいてコンテンツ要求を送信してコンテンツを取得するコンテンツ取得手段とを備えた端末装置と、前記端末装置を特定する情報から前記端末装置の位置情報を提供する位置情報サーバと、前記端末装置及び前記位置情報サーバと連絡するコンテンツサーバとを備え、前記端末装置が、読み込んだコードに含まれるコンテンツ情報に基づいてコンテンツ要求すると、前記コンテンツサーバは、受信したコンテンツ要求により要求されたコンテンツが位置情報対応に異なるコンテンツを用意していれば、前記位置情報サーバにより位置情報を取得し、この取得した位置情報に対応したコンテンツを前記端末装置に返送することを特徴とする。
【００１３】
このコンテンツ配信方法とそのシステムによれば、端末装置が、読み込んだコードに含まれるコンテンツ情報に基づいてコンテンツ要求すると、コンテンツサーバが、要求されたコンテンツが位置情報対応に異なるコンテンツを用意していると、位置情報サーバから端末の位置情報が取得され、取得された位置情報に対応したコンテンツが送信される。したがって、同じコードを読み込んでも、位置情報が異なると異なったコンテンツが提供される。
【００１４】
また、前記コンテンツ配信方法とそのシステムにおいては、前記端末装置を特定する情報から前記端末装置の時刻情報を提供する時刻情報サーバを備え、前記コンテンツサーバは、要求されたコンテンツが時刻対応に異なるコンテンツを用意していれば、前記時刻情報サーバにより時刻情報を取得し、この取得した時刻情報に対応したコンテンツを前記端末装置に返送するようにするとよい。
【００１５】
このコンテンツ配信方法とそのシステムによれば、端末装置が、読み込んだコードに含まれるコンテンツ情報に基づいてコンテンツ要求すると、コンテンツサーバは、要求されたコンテンツが時刻情報対応に異なるコンテンツを用意していると、時刻情報サーバから端末装置の時刻情報が取得され、取得された時刻情報に対応したコンテンツが送信される。したがって、同じコードを読み込んでも、時刻が異なると異なったコンテンツが提供される。
【発明の効果】
【００１６】
本発明のコンテンツ配信方法とそのシステムによれば、端末装置で、読み込んだコードに含まれる情報に従ってコンテンツ要求を送信するとき、自端末装置の位置情報を付加し、コンテンツサーバで、位置情報を付加されたコンテンツ要求を受信すると、その位置情報に対応したコンテンツを送信しているので、１つのコードで地域により異なるコンテンツを提供することができる。
【００１７】
また、端末装置で、読み込んだコードに含まれる情報に従ってコンテンツ要求を送信するとき、自端末の時刻情報を付加し、コンテンツサーバで、時刻情報を付加されたコンテンツ要求を受信すると、その時刻情報に対応したコンテンツを送信するようにすることで、１つのコードで時刻により異なるコンテンツを提供することができる。
【００１８】
さらに、コンテンツサーバで、要求されたコンテンツが位置情報に対応したコンテンツを用意していれば、位置情報サーバから端末の位置情報を取得し、その取得した位置情報に対応したコンテンツを送信しているので、１つのコードで地域により異なるコンテンツを提供することができる。
【００１９】
また、コンテンツサーバで、要求されたコンテンツが時刻に対応したコンテンツを用意していれば、時刻情報サーバから端末の時刻情報を取得し、この取得した時刻情報に対応したコンテンツを送信しているので、１つのコードで時刻により異なるコンテンツを提供することができる。
【発明を実施するための最良の形態】
【００２０】
以下、図面を参照しながら本発明の実施の形態について説明する。
【００２１】
図１は本発明の実施形態例１に係るコンテンツ配信システムの概略構成図である。また、図２は本実施形態例における端末装置のブロック図である。
【００２２】
図１に示されたコンテンツ配信システムは、蓄積しているコンテンツをコンテンツ要求により提供するコンテンツサーバ１と、コンテンツサーバ１にコンテンツ要求を送信してコンテンシの提供を受ける端末装置２と、コンテンツサーバ１と端末装置２とを連絡するネットワーク３とを備えている。
【００２３】
ネットワーク３は、ＬＡＮ（Ｌｏｃａｌ Ａｒｅａ Ｎｅｔｗｏｒｋ）やインターネットや電話網や携帯電話網を含み、それぞれを接続して形成されたネットワークでもよい。
【００２４】
コンテンツサーバ１は、提供するコンテンツを蓄積しており、コンテンツ要求でＵＲＬなどにより指定されたコンテンツを端末装置２に送信するようになっている。また、コンテンツ要求で指定されたコンテンツが、地域により異なるコンテンツを提供するように設定されていると、同じようにＵＲＬなどでコンテンツを指定されていても、コンテンツ要求に付加されてくる位置情報により、返送するコンテンツを位置情報に対応したコンテンツに変えるようになっている。
【００２５】
また、コンテンツ要求で指定されたコンテンツが、時刻（時間帯）により異なるコンテンツを提供するように設定されていると、同じようにＵＲＬなどでコンテンツを指定されていても、、コンテンツ要求を受信した時刻により、返送するコンテンツを時刻に対応したコンテンツに変えるようになっている。
【００２６】
端末装置２は、図２に示されたように、スキャナやカメラやバーコードリーダ等に例示されるコード読取部２１と、コード読取部２１が読み取ったコードから情報を抽出する情報抽出部２２と、ＧＰＳ等に例示されるナビゲーションシステムにより白装置の位置情報を取得する位置情報取得部２３と、現在時刻などの時刻情報を取得する時刻情報取得部２４と、情報抽出部２２で抽出したＵＲＬなどのコンテンツの情報と位置情報取得部２３で取得した位置情報と時刻情報取得部２４で取得した時刻情報をコンテンツサーバ１に送信してコンテンツを取得してユーザに提供するコンテンツ取得部２５と、接続されるネットワークでのプロトコルを制御して該ネットワークを介してコンテンツサーバ１との通信を制御する通信インターフェース部２６とを備えている。
【００２７】
端末装置２としては、パーソナルコンピュータや携帯電話やＰＤＡ（Ｐｅｒｓｏｎａｌ Ｄｉｇｉｔａｌ Ａｓｓｉｓｔａｎｔ）等が該当し、パーソナルコンピュータは、１箇所に据え置かれている固定端末装置でも持ち運び可能な移動端末装置でもかまわない。
【００２８】
位置情報取得部２３は、固定端末装置の場合、予め位置情報を設定しておき、その位置情報を取得するようにしてもよい。
【００２９】
通信インターフェース部２６は、携帯電話の場合は、携帯電話の無線インターフェースを制御することになる。また、各種無線インターフェース（無線ＬＡＮ（Ｌｏｃａｌ Ａｒｅａ Ｎｅｔｗｏｒｋ）、赤外線通信（ブルートゥース（Ｂｌｕｅｔｏｏｔｈ）等）によりネットワークに接続するようにしてもよい。
【００３０】
このような端末装置２において、ユーザが雑誌や広告などに印刷されている２次元コードやバーコード等のコードをコード読取部２１により読み取らせると、コード読取部２１は、読み取ったコードを情報抽出部２２に送る。
【００３１】
情報抽出部２２は、コード読取部２１から送られたコードから、そのコードに対応した方法でコードを解析し、コードからコンテンツを取得するための情報（例えば、ＵＲＬ）を抽出し、コンテンツ取得部２５に送る。
【００３２】
コンテンツ取得部２５は、情報抽出部２２から、コンテンツを取得するための情報を受けると、位置情報取得部２３に位置情報を要求する。
【００３３】
位置情報取得部２３は、コンテンツ取得部２５から位置情報を要求されると、ＧＰＳ等に例示されるナビゲーションシステムによって位置情報を取得し、コンテンツ取得部２５に通知する。
【００３４】
コンテンツ取得部２５は、位置情報取得部２３から位置情報を取得すると、次に、時刻情報取得部２４に時刻情報を要求する。
【００３５】
時刻情報取得部２４は、コンテンツ取得部２５から時刻情報を要求されると、現在時刻をコンテンツ取得部２５に通知する。
【００３６】
コンテンツ取得部２５は時刻情報取得部２５から時刻情報を取得すると、情報抽出部２２から受けたコンテンツを取得するための情報に基づいたコンテンツの提供者のコンテンツサーバ１に、位置情報取得部２３から取得した位置情報と時刻情報取得部２４から取得した時刻情報を付加したコンテンツ要求を通信インターフェース部２６によりネットワーク３を介して送信する。
【００３７】
コンテンツサーバ１は、端末装置２からのコンテンツ要求を受信すると、受信したコンテンツ要求に位置情報が付加されているかを判定し、位置情報が付加されていれば、要求されているコンテンツが位置情報でコンテンツ内容を変えるコンテンツであるか判定する。
【００３８】
位置情報でコンテンツ内容を変えるコンテンツであれば、コンテンツ要求に付加されてきた位置情報に対応したコンテンツを選択する。
【００３９】
さらに、コンテンツ要求に時刻情報が付加されているかを判定し、時刻情報が付加されていれば、選択されたコンテンツが、時刻によりコンテンツ内容を変えるコンテンツであるか判定し、時刻によりコンテンツ内容を変えるコンテンツであれば、位置情報に対応したコンテンツの中から、現在時刻に対応したコンテンツを選択し、選択したコンテンツを端末装置２に返送する。
【００４０】
このように本実施形態例においては、端末装置側で、読み込んだコードに含まれるコンテンツを取得するための情報に従ってコンテンツ要求する際に、自端末装置の位置情報を付加し、コンテンツサーバで、コンテンツ要求に付加されている位置情報に対応したコンテンツを送信しているので、１つのコードにより地域毎に異なるコンテンツを提供することができる。
【００４１】
また、端末装置側で、読み込んだコードに含まれるコンテンツを取得するための情報に従ってコンテンツ要求する際に、自端末装置の時刻情報を付加し、コンテンツサーバで、コンテンツ要求に付加されている時刻情報に対応したコンテンツを送信しているので、１つのコードにより時刻毎に異なるコンテンツを提供することができる。
【００４２】
図３は本発明の実施形態例２に係るコンテンツ配信システムの概略構成図である。本実施形態例は、実施形態例１と略同様に構成されているので、同様な構成には同一の符号を付して特徴部分のみ説明する。
【００４３】
本実施形態例においては、ネットワーク３上に端末装置を一意に特定できる情報（例えば、端末装置５のＩＰアドレスや端末ＩＤ等）によりその端末装置の位置情報を提供する位置情報サーバ６と、端末装置を一意に特定できる情報によりその端末装置の時刻情報を提供する時刻情報サーバ７とを接続し、端末装置５の位置情報をこの位置情報サーバ６から取得し、また、端末装置５の時刻情報をこの時刻情報サーバ７から取得して、位置情報および時刻情報に対応したコンテンツを提供するようになっている。
【００４４】
具体的には、端末装置５において、ユーザが雑誌や広告などに印刷されている２次元コードやバーコードなどのコードを読み取らせて、コードからコンテンツを取得するための情報（例えば、ＵＲＬ）を抽出させると、端末装置５は、コンテンツを取得するための情報に基づいたコンテンツの提供者のコンテンツサーバ４に、コンテンツ要求を送信する。
【００４５】
コンテンツサーバ４は、端末装置５からのコンテンツ要求を受信すると、要求されているコンテンツが位置情報でコンテンツ内容を変えるコンテンツであるか判定し、位置情報でコンテンツ内容を変えるコンテンツであれば、コンテンツ要求に付加されている端末装置５を一意に特定できる情報を位置情報サーバ６に送って、端末装置５の位置情報を取得する。
【００４６】
そして、コンテンツサーバ４は、取得した位置情報に対応したコンテンツを選択する。
【００４７】
さらに、選択されたコンテンツが、時刻によりコンテンツ内容を変えるコンテンツであれば、コンテンツ婁求に付加されている端末装置５を一意に特定できる情報を時刻情報サーバ７に送って、端末装置５の時刻情報を取得する。
【００４８】
そして、位置情報に対応したコンテンツの中から、時刻情報に対応したコンテンツを選択し、選択したコンテンツを端末装置５に返送する。
【００４９】
このように本実施形態においては、端末装置で、読み込んだコードに含まれるコンテンツを取得するための情報に従ってコンテンツ要求すると、コンテンツサーバ側で、要求されたコンテンツが位置情報に対応したコンテンツであれば、位置情報サーバから端末の位置情報を取得し、この取得した位置情報に対応したコンテンツを送信しているので、１つのコードにより地域毎に異なるコンテンツを提供することができる。
【００５０】
また、コンテンツサーバ側で、要求されたコンテンツが時刻情報に対応したコンテンツであれば、時刻情報サーバから端末の時刻情報を取得し、この取得した時刻情報に対応したコンテンツを送信しているので、１つのコードにより時刻毎に異なるコンテンツを提供することができる。
【図面の簡単な説明】
【００５１】
【図１】実施形態例１に係るコンテンツ配信システムの概略構成図。
【図２】端末装置のブロック図。
【図３】実施形態例２に係るコンテンツ配信システムの概略構成図。
【符号の説明】
【００５２】
１…コンテンツサーバ
２…端末装置
２１…コード読取部
２２…情報抽出部
２３…位置情報取得部
２４…時刻情報取得部
２５…コンテンツ取得部
２６…通信インターフェース部
３…ネットワーク
４…コンテンツサーバ
５…端末装置
６…位置情報サーバ
７…時刻情報サーバ
【図１】
2005326999.tif 000003
【図２】
2005326999.tif 000004
【図３】
2005326999.tif 000005